(57)【要約】【課題】  従来に比べて、より一層の高輝度化を図ることの可能な光源装置を提供する。【解決手段】  紫外光から可視光までの波長領域のうちの所定の波長の光を発光する複数の固体光源５ａ，５ｂ，５ｃと、該複数の固体光源５ａ，５ｂ，５ｃからの光により励起され該複数の固体光源５ａ，５ｂ，５ｃの発光波長よりも長波長の蛍光を発光する少なくとも１つの蛍光体２と、前記複数の固体光源５ａ，５ｂ，５ｃにそれぞれ対応して設けられ、前記複数の固体光源５ａ，５ｂ，５ｃからの光を前記少なくとも１つの蛍光体２へ反射、集光する複数の反射鏡４ａ，４ｂ，４ｃとを備えている。【選択図】      図４
2012119121.tif 000002
【特許請求の範囲】
【請求項１】
紫外光から可視光までの波長領域のうちの所定の波長の光を発光する複数の固体光源と、該複数の固体光源からの光により励起され該複数の固体光源の発光波長よりも長波長の蛍光を発光する少なくとも１つの蛍光体と、前記複数の固体光源にそれぞれ対応して設けられ、前記複数の固体光源からの光を前記少なくとも１つの蛍光体へ反射、集光する複数の反射鏡とを備えていることを特徴とする光源装置。
【請求項２】
請求項１記載の光源装置において、前記複数の固体光源および前記複数の反射鏡が、所定の対称軸に対して回転対称に配置されていることを特徴とする光源装置。
【請求項３】
請求項１または請求項２記載の光源装置において、前記各固体光源は、主光軸を有しており、蛍光体が配置される側とは反対の側に所定の対称軸に対して主光軸が９０°以内の角度で光を出射し、前記各固体光源にそれぞれ対応した各反射鏡は、前記各固体光源からの前記出射光の角度範囲を含めた回転楕円体の一部として反射面が構成され、前記各固体光源の発光部は、前記各反射鏡の反射面を構成する回転楕円体の第一焦点に配置され、前記少なくとも１つの蛍光体は、前記各反射鏡の反射面を構成する回転楕円体の第二焦点に配置されることを特徴とする光源装置。
【請求項４】
請求項１乃至請求項３記載の光源装置が用いられていることを特徴とする照明装置。
【発明の詳細な説明】
【技術分野】
【０００１】
本発明は、光源装置および照明装置に関する。
【背景技術】
【０００２】
従来、例えば特許文献１には、図１に示すように、励起光源１０と、波長変換部材４０とから構成された発光装置が示されている。ここで、励起光源１０は、励起光を射出するための光源であり、後述する蛍光物質を励起することができる光を出射するものであれば、特に限定されるものではなく、例えば、ＬＤ、ＬＥＤ等を用いることができる。また、波長変換部材４０は、励起光源１０から出射される励起光の一部又は全部を吸収し、波長変換して所定の波長域の光、例えば、赤色、緑色、青色、さらにこれらの中間色である黄色、青緑色、橙色などに発光スペクトルを有する光を放出し得るものであり、蛍光物質を用いることができる。なお、図１において、２０は励起光源１０からの光を波長変換部材４０に導くための導光部材、３０は被覆部材である。
【先行技術文献】
【特許文献】
【０００３】
【特許文献１】特開２００８−００４４１９号公報
【発明の概要】
【発明が解決しようとする課題】
【０００４】
ところで、従来の図１に示すような発光装置が、１つの励起光源１０と、一本の導光部材２０と、１つの波長変換部材４０とから構成されている場合は、波長変換部材４０に入射する励起光が１つの励起光源１０からの励起光に限られているため、発光輝度の更なる向上が見込めない。
【０００５】
また、一単位の発光装置を複数個搭載した発光装置とした場合であっても、発光装置の出力光束は向上するものの、１つの波長変換部材４０に入射する励起光は１つの励起光源１０からの励起光のみであるため、発光輝度は一単位の発光装置の場合と変わらない。
【０００６】
このように、従来では、発光輝度をより一層高めることができないことから、高輝度化には限界があった。
【０００７】
本発明は、従来に比べて、より一層の高輝度化を図ることの可能な光源装置および照明装置を提供することを目的としている。
【課題を解決するための手段】
【０００８】
上記目的を達成するために、請求項１記載の発明は、紫外光から可視光までの波長領域のうちの所定の波長の光を発光する複数の固体光源と、該複数の固体光源からの光により励起され該複数の固体光源の発光波長よりも長波長の蛍光を発光する少なくとも１つの蛍光体と、前記複数の固体光源にそれぞれ対応して設けられ、前記複数の固体光源からの光を前記少なくとも１つの蛍光体へ反射、集光する複数の反射鏡とを備えていることを特徴としている。
【０００９】
また、請求項２記載の発明は、請求項１記載の光源装置において、前記複数の固体光源および前記複数の反射鏡が、所定の対称軸に対して回転対称に配置されていることを特徴としている。
【００１０】
また、請求項３記載の発明は、請求項１または請求項２記載の光源装置において、前記各固体光源は、主光軸を有しており、蛍光体が配置される側とは反対の側に所定の対称軸に対して主光軸が９０°以内の角度で光を出射し、前記各固体光源にそれぞれ対応した各反射鏡は、前記各固体光源からの前記出射光の角度範囲を含めた回転楕円体の一部として反射面が構成され、前記各固体光源の発光部は、前記各反射鏡の反射面を構成する回転楕円体の第一焦点に配置され、前記少なくとも１つの蛍光体は、前記各反射鏡の反射面を構成する回転楕円体の第二焦点に配置されることを特徴としている。
【００１１】
また、請求項４記載の発明は、請求項１乃至請求項３記載の光源装置が用いられていることを特徴とする照明装置である。
【発明の効果】
【００１２】
請求項１乃至請求項４記載の発明によれば、紫外光から可視光までの波長領域のうちの所定の波長の光を発光する複数の固体光源と、該複数の固体光源からの光により励起され該複数の固体光源の発光波長よりも長波長の蛍光を発光する少なくとも１つの蛍光体と、前記複数の固体光源にそれぞれ対応して設けられ、前記複数の固体光源からの光を前記少なくとも１つの蛍光体へ反射、集光する複数の反射鏡とを備えているので、少なくとも１つの蛍光体には、複数の固体光源からの光を集光させることができ、従来に比べてより一層の高輝度化が可能となる。
【図面の簡単な説明】
【００１３】
【図１】従来の発光装置を示す図である。
【図２】本発明の光源装置における固体光源と蛍光体との位置関係を示す図である。
【図３】複数の固体光源および複数の反射鏡が、所定の対称軸を中心に１２０°の間隔でそれぞれ３個づつ配置される場合における、少なくとも１つの蛍光体の例を示す図である。
【図４】本発明の光源装置の第１の具体例を示す図である。
【図５】本発明の光源装置の第２の具体例を示す図である。
【図６】本発明の光源装置の第３の具体例を示す図である。
【図７】本発明の光源装置の第４の具体例を示す図である。
【発明を実施するための最良の形態】
【００１４】
以下、本発明の実施形態を図面に基づいて説明する。
【００１５】
本発明の光源装置は、紫外光から可視光までの波長領域のうちの所定の波長の光を発光する複数の固体光源（半導体光源）と、該複数の固体光源からの光により励起され該複数の固体光源の発光波長よりも長波長の蛍光を発光する少なくとも１つの蛍光体と、前記複数の固体光源にそれぞれ対応して設けられ、前記複数の固体光源からの光を前記少なくとも１つの蛍光体へ反射、集光する複数の反射鏡とを備えていることを特徴としている。
【００１６】
ここで、複数の各固体光源（半導体光源）には、紫外光から可視光領域に発光波長をもつ発光ダイオードや半導体レーザーなどが使用可能である。
【００１７】
より具体的に、各固体光源には、例えば、ＩｎＧａＮ系の材料を用いた発光波長が約３８０ｎｍないし約４００ｎｍ程度の近紫外光を発光する発光ダイオードや半導体レーザーなどを用いることができる。この場合、蛍光体としては、波長が約３８０ｎｍないし約４００ｎｍの紫外光により励起されるものとして、例えば、赤色蛍光体には、ＣａＡｌＳｉＮ３：Ｅｕ２＋、Ｃａ２Ｓｉ５Ｎ８：Ｅｕ２＋、Ｌａ２Ｏ２Ｓ：Ｅｕ３＋、ＫＳｉＦ６：Ｍｎ４＋、ＫＴｉＦ６：Ｍｎ４＋などを用いることができ、緑色蛍光体には、（Ｂａ，Ｓｒ）２ＳｉＯ４：Ｅｕ２＋、ＢａＭｇＡｌ１０Ｏ１７：Ｅｕ２＋，Ｍｎ２＋、（Ｓｉ，Ａｌ）６（Ｏ，Ｎ）８：Ｅｕ２＋などを用いることができ、青色蛍光体には、（Ｓｒ，Ｃａ，Ｂａ，Ｍｇ）１０（ＰＯ４）６Ｃ１２：Ｅｕ２＋、ＬａＡｌ（Ｓｉ，Ａｌ）６（Ｏ，Ｎ）１０：Ｃｅ３＋  、ＢａＭｇＡｌ１０Ｏ１７：Ｅｕ２＋，Ｍｎ２＋などを用いることができる。
【００１８】
また、各固体光源には、例えば、ＧａＮ系の材料を用いた発光波長が約４６０ｎｍ程度の青色光を発光する発光ダイオードや半導体レーザーなどを用いることができる。この場合、蛍光体としては、波長が約４４０ｎｍないし約４７０ｎｍの青色光により励起されるものとして、例えば、赤色蛍光体には、ＣａＡｌＳｉＮ３：Ｅｕ２＋、Ｃａ２Ｓｉ５Ｎ８：Ｅｕ２＋、ＫＳｉＦ６：Ｍｎ４＋、ＫＴｉＦ６：Ｍｎ４＋などを用いることができ、黄色蛍光体には、Ｙ３Ａｌ５Ｏ１２：Ｃｅ３＋（ＹＡＧ）、（Ｓｒ，Ｂａ）２ＳｉＯ４：Ｅｕ２＋、Ｃａｘ（Ｓｉ，Ａｌ）１２（Ｏ，Ｎ）１６：Ｅｕ２＋などを用いることができ、緑色蛍光体には、Ｙ３（Ｇａ，Ａｌ）５Ｏ１２：Ｃｅ３＋、Ｃａ３Ｓｃ２Ｓｉ３Ｏ１２：Ｃｅ３＋、ＣａＳｃ２Ｏ４：Ｅｕ２＋、（Ｂａ，Ｓｒ）２ＳｉＯ４：Ｅｕ２＋、Ｂａ３Ｓｉ６Ｏ１２Ｎ２：Ｅｕ２＋、（Ｓｉ，Ａｌ）６（Ｏ，Ｎ）８：Ｅｕ２＋などを用いることができる。
【００１９】
蛍光体としては、これらの蛍光体粉末をガラス中に分散させたものや、ガラス母体に発光中心イオンを添加したガラス蛍光体、樹脂などの結合部材を含まない蛍光体セラミックスなどを用いることができる。蛍光体粉末をガラス中に分散させたものの具体例としては、上に列挙した組成の蛍光体粉末をＰ２Ｏ３、ＳｉＯ２、Ｂ２Ｏ３、Ａｌ２Ｏ３などの成分を含むガラス中に分散したものが挙げられる。ガラス母体に発光中心イオンを添加したガラス蛍光体としては、Ｃｅ３＋やＥｕ２＋を付活剤として添加したＣａ−Ｓｉ−Ａｌ−Ｏ−Ｎ系やＹ−Ｓｉ−Ａｌ−Ｏ−Ｎ系などの酸窒化物系ガラス蛍光体が挙げられる。蛍光体セラミックスとしては、上に列挙した組成の蛍光体組成からなり、樹脂成分を実質的に含まない焼結体が挙げられる。これらの中でも透光性を有する蛍光体セラミックスを使用することが望ましい。これは、焼結体中に光の散乱の原因になるポアや粒界の不純物がほとんど存在しないために透光性を有するに至った蛍光体セラミックスである。ポアや不純物は熱拡散を妨げる原因にもなるため、透光性セラミックスは高い熱伝導率を示す。このため蛍光体層とした利用した場合には励起光や蛍光を拡散により失うことなく蛍光体層から取り出して利用でき、さらに蛍光体層で発生した熱を効率良く放散することができる。透光性を示さない焼結体でもできるだけポアや不純物の少ないものが望ましい。ポアの残存量を評価する指標としては蛍光体セラミックスの比重の値を用いることができ、その値が計算される理論値に対して９５％以上のものが望ましい。
【００２０】
ここで、青色励起の黄色発光蛍光体であるＹ３Ａｌ５Ｏ１２：Ｃｅ３＋蛍光体を例に、透光性を有する蛍光体セラミックスの製造方法を説明する。蛍光体セラミックスは出発原料の混合工程、成形工程、焼成工程、加工工程を経て製造される。出発原料には、酸化イットリウムや酸化セリウムやアルミナなど、Ｙ３Ａｌ５Ｏ１２：Ｃｅ３＋蛍光体の構成元素の酸化物や、焼成後に酸化物となる炭酸塩、硝酸塩、硫酸塩などを用いる。出発原料の粒径はサブミクロンサイズのものが望ましい。これらの原料を化学量論比となるように秤量する。このとき焼成後のセラミックスの透過率向上を目的として、カルシウムやシリコンなどの化合物を添加することも可能である。秤量した原料は、水もしくは有機溶剤を用い、湿式ボールミルにより十分に分散、混合を行う。次に混合物を所定の形状に成形する。成形方法としては、一軸加圧法、冷間静水圧法、スリップキャスティング法や射出成形法などを用いることができる。得られた成形体を１６００〜１８００℃で焼成する。これにより、透光性のＹ３Ａｌ５Ｏ１２：Ｃｅ３＋蛍光体セラミックスを得ることができる。
【００２１】
以上のようにして作製した蛍光体セラミックスは、自動研磨装置などを用いて、厚さ数十〜数百μｍの厚みに研磨し、さらに、ダイアモンドカッターやレーザーを用いたダイシングやスクライブにより、円形や四角形や扇形、リング形など任意の形状の板に切り出して使用する。
【００２２】
ここで、蛍光体セラミックスは、空気に対して屈折率が高く、さらに、内部にポアなどの散乱の原因となるものが少なく、光がセラミックス内部を導波するため、板状に成形した場合には側面から出射される発光成分が増加し、正面方向へ出射される発光成分が減少してしまう。この問題を解決するために、セラミックスの表面にエッチングにより凹凸の光取り出し構造を設けたり、レンズを実装したり、側面に反射層を設けることで、正面方向へ出射される発光成分を増加させることも可能である。
【００２３】
また、本発明の光源装置において、前記複数の固体光源および前記複数の反射鏡は、所定の対称軸に対して回転対称に配置されている。例えば、後述の例のように、前記複数の固体光源および前記複数の反射鏡は、所定の対称軸を中心に１２０°の間隔でそれぞれ３個づつ配置され、あるいは、所定の対称軸を中心に９０°の間隔でそれぞれ４個づつ配置されている。なお、これらの例の他にも種々の配置をとることができる。すなわち、前記複数の固体光源および前記複数の反射鏡は、所定の対称軸を中心に所定の角度間隔でそれぞれ所定の個数づつ配置されているものであれば、任意の個数、配置をとることができる。
【００２４】
また、本発明の光源装置において、前記各固体光源は、主光軸Ｃを有しており、図２に示すように、蛍光体が配置される側とは反対の側に所定の対称軸Ａに対して主光軸Ｃが９０°以内の角度θで光を出射するように配置されている。
【００２５】
また、本発明の光源装置において、各固体光源にそれぞれ対応した各反射鏡は、前記各固体光源からの前記出射光の角度範囲を含めた回転楕円体の一部として反射面が構成され、前記各固体光源の発光部は、前記各反射鏡の反射面を構成する回転楕円体の第一焦点に配置され、前記少なくとも１つの蛍光体は、前記各反射鏡の反射面を構成する回転楕円体の第二焦点に配置される。
【００２６】
すなわち、前記複数の固体光源および前記複数の反射鏡が、所定の対称軸を中心に１２０°の間隔でそれぞれ３個づつ配置される場合には、複数の（３つの）反射鏡の反射面は、３つの回転楕円体の一部として構成され、また、前記複数の固体光源および前記複数の反射鏡が、所定の対称軸を中心に９０°の間隔でそれぞれ４個づつ配置される場合には、複数の（４つの）反射鏡の反射面は、４つの回転楕円体の一部として構成される。この際、各固体光源の発光部は、各回転楕円体の第一焦点に配置され、少なくとも１つの蛍光体は、各回転楕円体の第二焦点に配置される。
【００２７】
図３（ａ），（ｂ），（ｃ）には、前記複数の固体光源および前記複数の反射鏡が、所定の対称軸を中心に１２０°の間隔でそれぞれ３個づつ配置される場合における、少なくとも１つの蛍光体の例が示されている。図３（ａ），（ｂ）の例では、少なくとも１つの蛍光体として、１つの蛍光体（共通の蛍光体）２が用いられる場合が示されており、この場合、図３（ａ）のように複数の（３つの）固体光源からの励起光を複数の（３つの）反射鏡によって１つの蛍光体（共通の蛍光体）２のほぼ同じ位置Ｐ０に集光させることもできるし、あるいは、図３（ｂ）のように複数の（３つの）固体光源からの励起光を複数の（３つの）反射鏡によって１つの蛍光体（共通の蛍光体）２の互いに少し離れた位置Ｐ１，Ｐ２，Ｐ３に集光させることもできる。
【００２８】
ここで、図３（ａ），（ｂ）の例では、複数の（３つの）固体光源が紫外光を発光するものである場合、１つの蛍光体２は、例えば、青、緑、赤色などの蛍光体のうち、少なくとも１種類の蛍光体を含んでいる。複数の（３つの）固体光源が紫外光を発光するものである場合、１つの蛍光体２が、例えば、青、緑、赤色の蛍光体を含んでいるときには（青、緑、赤色の蛍光体のそれぞれが例えば均一に分散されて混合されたものとなっているときには）、複数の（３つの）固体光源からの紫外光を１つの蛍光体２に照射するとき、白色光などを得ることができる。また、複数の（３つの）固体光源が可視光として青色光を発光するものである場合、蛍光体層２は、例えば、緑、赤、黄色などの蛍光体のうち、少なくとも１種類の蛍光体を含んでいる。複数の（３つの）固体光源が可視光として青色光を発光するものである場合、１つの蛍光体２が、例えば、緑、赤色の蛍光体を含んでいるときには（緑、赤色の蛍光体のそれぞれが例えば均一に分散されて混合されたものになっているときには）、複数の（３つの）固体光源からの青色光を１つの蛍光体２に照射するとき、白色光などを得ることができる。また、複数の（３つの）固体光源が可視光として青色光を発光するものである場合、１つの蛍光体２が、例えば、黄色の蛍光体だけを含んでいるときには、複数の（３つの）固体光源からの青色光を１つの蛍光体２に照射するとき、白色光などを得ることができる。
【００２９】
また、図３（ｃ）の例では、少なくとも１つの蛍光体として、３つの蛍光体２ａ，２ｂ，２ｃが用いられる場合が示されており、この場合、複数の（３つの）固体光源からの励起光を複数の（３つの）反射鏡によって３つの蛍光体２ａ，２ｂ，２ｃの各位置Ｐ４，Ｐ５，Ｐ６に集光させることもできる。ここで、３つの蛍光体２ａ，２ｂ，２ｃとしては、互いに異なる種類の蛍光体（例えば、赤色蛍光体、緑色蛍光体、青色蛍光体）を用いることができ、３つの蛍光体２ａ，２ｂ，２ｃとして、赤色蛍光体、緑色蛍光体、青色蛍光体が用いられる場合には、複数の（３つの）固体光源として、発光波長が約３８０ｎｍないし約４００ｎｍ程度の近紫外光を発光する発光ダイオードや半導体レーザーなどを用いることができ、このときには、全体として白色光を出射させることができる。
【００３０】
いずれにしても、本発明では、紫外光から可視光までの波長領域のうちの所定の波長の光を発光する複数の固体光源と、該複数の固体光源からの光により励起され該複数の固体光源の発光波長よりも長波長の蛍光を発光する少なくとも１つの蛍光体と、前記複数の固体光源にそれぞれ対応して設けられ、前記複数の固体光源からの光を前記少なくとも１つの蛍光体へ反射、集光する複数の反射鏡とを備えているので、少なくとも１つの蛍光体には、複数の固体光源からの光を集光させることができ、従来に比べてより一層の高輝度化が可能となる。
【００３１】
次に、本発明の光源装置をより具体的に説明する。
【００３２】
図４（ａ），（ｂ），（ｃ）は本発明の光源装置の第１の具体例を示す図であり、図４（ａ）は斜視図、図４（ｂ）は図４（ａ）を所定の対称軸（矢印）Ａの方向から見たときの平面図、図４（ｃ）は図４（ｂ）のＢ−Ｂ線における断面図である。図４（ａ），（ｂ），（ｃ）において、符号５ａ，５ｂ，５ｃは３つの固体光源（半導体光源）であり、符号４ａ，４ｂ，４ｃは３つの反射鏡であり、符号２は１つの蛍光体（共通の蛍光体）であり、符号６ａ，６ｂ，６ｃは蛍光体支持部材である。
【００３３】
図４（ａ），（ｂ），（ｃ）の光源装置では、３つの固体光源（半導体光源）５ａ，５ｂ，５ｃが、所定の対称軸Ａを中心に１２０°の間隔でそれぞれ配置されている。各固体光源（半導体光源）５ａ，５ｂ，５ｃからの光の出射方向は、それぞれに対応する反射鏡４ａ，４ｂ，４ｃに向かう方向であり、図４（ａ），（ｂ），（ｃ）の例では所定の対称軸Ａに対して各固体光源５ａ，５ｂ，５ｃの主光軸Ｃがおよそ４５°の角度θ（図２を参照）をなしている。
【００３４】
また、各固体光源（半導体光源）５ａ，５ｂ，５ｃには給電部（図示せず）を通して必要な電流が供給され、各固体光源（半導体光源）５ａ，５ｂ，５ｃは、それぞれに対応する反射鏡４ａ，４ｂ，４ｃに対して精密に位置決めした上で、固定用および放熱用の部材（図示せず）に取り付けられる。
【００３５】
また、各反射鏡４ａ，４ｂ，４ｃは、それぞれに対応する各固体光源（半導体光源）５ａ，５ｂ，５ｃに対向するように配置された区分反射面をそれぞれ有し、それぞれの区分反射面（３つの区分反射面）は、各固体光源（半導体光源）５ａ，５ｂ，５ｃの位置を第一焦点、所定の対称軸Ａ上に配置された蛍光体２上の位置を第二焦点として共有する回転楕円面となっている。
【００３６】
また、蛍光体２は、各反射鏡４ａ，４ｂ，４ｃの区分反射面の第二焦点上に配置され、回転対称に配置された３つの区分反射面の境界線に沿って蛍光体支持部材６ａ，６ｂ，６ｃによって固定部（図示せず）に支持されている。蛍光体支持部材６ａ，６ｂ，６ｃは、例えば金属等の材料を用いることで蛍光体２の放熱に有効である。
【００３７】
図４（ａ），（ｂ），（ｃ）の光源装置では、蛍光体２には、３つの各固体光源（半導体光源）５ａ，５ｂ，５ｃのそれぞれから出射し３つの各反射鏡４ａ，４ｂ，４ｃの反射面（３枚の反射面）によって反射、集光された光線が入射し、蛍光体２によって波長変換されて発光出力される。このように、蛍光体２には、３枚の反射面によって集光された光線が入射するので（３つの固体光源５ａ，５ｂ，５ｃからの光を集光させることができるので）、従来に比べてより一層の高輝度化が可能となる。
【００３８】
また、図５（ａ），（ｂ），（ｃ）は本発明の光源装置の第２の具体例を示す図であり、図５（ａ）は斜視図、図５（ｂ）は図５（ａ）を所定の対称軸（矢印）Ａの方向から見たときの平面図、図５（ｃ）は図５（ｂ）のＢ−Ｂ線における断面図である。図５（ａ），（ｂ），（ｃ）において、符号５ａ，５ｂ，５ｃ，５ｄは４つの固体光源（半導体光源）であり、符号４ａ，４ｂ，４ｃ，４ｄは４つの反射鏡であり、符号２は１つの蛍光体（共通の蛍光体）であり、符号６ａ，６ｂ，６ｃ，６ｄは蛍光体支持部材である。
【００３９】
図５（ａ），（ｂ），（ｃ）の光源装置では、４つの固体光源（半導体光源）５ａ，５ｂ，５ｃ，５ｄが、所定の対称軸Ａを中心に９０°の間隔でそれぞれ配置されている。各固体光源（半導体光源）５ａ，５ｂ，５ｃ，５ｄからの光の出射方向は、それぞれに対応する反射鏡４ａ，４ｂ，４ｃ，４ｄに向かう方向であり、図５（ａ），（ｂ），（ｃ）の例では所定の対称軸Ａに対して各固体光源５ａ，５ｂ，５ｃ，５ｄの主光軸Ｃがおよそ４５°の角度θ（図２を参照）をなしている。
【００４０】
また、各固体光源（半導体光源）５ａ，５ｂ，５ｃ，５ｄには給電部（図示せず）を通して必要な電流が供給され、各固体光源（半導体光源）５ａ，５ｂ，５ｃ，５ｄは、それぞれに対応する反射鏡４ａ，４ｂ，４ｃ，４ｄに対して精密に位置決めした上で、固定用および放熱用の部材（図示せず）に取り付けられる。
【００４１】
また、各反射鏡４ａ，４ｂ，４ｃ，４ｄは、それぞれに対応する各固体光源（半導体光源）５ａ，５ｂ，５ｃ，５ｄに対向するように配置された区分反射面をそれぞれ有し、それぞれの区分反射面（４つの区分反射面）は、各固体光源（半導体光源）５ａ，５ｂ，５ｃ，５ｄの位置を第一焦点、所定の対称軸Ａ上に配置された蛍光体２上の位置を第二焦点として共有する回転楕円面となっている。
【００４２】
また、蛍光体２は、各反射鏡４ａ，４ｂ，４ｃ，４ｄの区分反射面の第二焦点上に配置され、回転対称に配置された４つの区分反射面の境界線に沿って蛍光体支持部材６ａ，６ｂ，６ｃ，６ｄによって固定部（図示せず）に支持されている。蛍光体支持部材６ａ，６ｂ，６ｃ，６ｄは、例えば金属等の材料を用いることで蛍光体２の放熱に有効である。
【００４３】
図５（ａ），（ｂ），（ｃ）の光源装置では、蛍光体２には、４つの各固体光源（半導体光源）５ａ，５ｂ，５ｃ，５ｄのそれぞれから出射し４つの各反射鏡４ａ，４ｂ，４ｃ，４ｄの反射面（４枚の反射面）によって反射、集光された光線が入射し、蛍光体２によって波長変換されて発光出力される。このように、蛍光体２には、４枚の反射面によって集光された光線が入射するので（４つの固体光源５ａ，５ｂ，５ｃ，５ｄからの光を集光させることができるので）、従来に比べてより一層の高輝度化が可能となる。
【００４４】
また、図６（ａ），（ｂ），（ｃ）は本発明の光源装置の第３の具体例を示す図であり、図６（ａ）は斜視図、図６（ｂ）は図６（ａ）を所定の対称軸（矢印）Ａの方向から見たときの平面図、図６（ｃ）は図６（ｂ）のＢ−Ｂ線における断面図である。図６（ａ），（ｂ），（ｃ）において、符号５ａ，５ｂ，５ｃ，５ｄは４つの固体光源（半導体光源）であり、符号４ａ，４ｂ，４ｃ，４ｄは４つの反射鏡であり、符号２は１つの蛍光体（共通の蛍光体）である。なお、図６（ａ），（ｂ），（ｃ）において、蛍光体支持部材は図示を省略している。
【００４５】
第３の具体例の光源装置は、第２の具体例の光源装置に対して反射鏡４ａ，４ｂ，４ｃ，４ｄと蛍光体２の位置関係を変更したものである。すなわち、図６（ａ），（ｂ），（ｃ）の光源装置では、４つの固体光源（半導体光源）５ａ，５ｂ，５ｃ，５ｄが、所定の対称軸Ａを中心に９０°の間隔でそれぞれ配置されている。そして、各固体光源（半導体光源）５ａ，５ｂ，５ｃ，５ｄからの光の出射方向は、それぞれに対応する反射鏡４ａ，４ｂ，４ｃ，４ｄに向かう方向であり、図６（ａ），（ｂ），（ｃ）の例では所定の対称軸Ａに対して各固体光源５ａ，５ｂ，５ｃ，５ｄの主光軸Ｃがおよそ１３°の角度θ（図２を参照）をなしている。
【００４６】
また、各固体光源（半導体光源）５ａ，５ｂ，５ｃ，５ｄには給電部（図示せず）を通して必要な電流が供給され、各固体光源（半導体光源）５ａ，５ｂ，５ｃ，５ｄは、それぞれに対応する反射鏡４ａ，４ｂ，４ｃ，４ｄに対して精密に位置決めした上で、固定用および放熱用の部材（図示せず）に取り付けられる。
【００４７】
また、各反射鏡４ａ，４ｂ，４ｃ，４ｄは、それぞれに対応する各固体光源（半導体光源）５ａ，５ｂ，５ｃ，５ｄに対向するように配置された区分反射面をそれぞれ有し、それぞれの区分反射面（４つの区分反射面）は、各固体光源（半導体光源）５ａ，５ｂ，５ｃ，５ｄの位置を第一焦点、所定の対称軸Ａ上に配置された蛍光体２上の位置を第二焦点として共有する回転楕円面となっている。
【００４８】
図６（ａ），（ｂ），（ｃ）の光源装置では、蛍光体２には、４つの各固体光源（半導体光源）５ａ，５ｂ，５ｃ，５ｄのそれぞれから出射し４つの各反射鏡４ａ，４ｂ，４ｃ，４ｄの反射面（４枚の反射面）によって反射、集光された光線が入射し、蛍光体２によって波長変換されて発光出力される。このように、蛍光体２には、４枚の反射面によって集光された光線が入射するので（４つの固体光源５ａ，５ｂ，５ｃ，５ｄからの光を集光させることができるので）、従来に比べてより一層の高輝度化が可能となる。
【００４９】
また、図７（ａ），（ｂ），（ｃ）は本発明の光源装置の第４の具体例を示す図であり、図７（ａ）は斜視図、図７（ｂ）は図７（ａ）を所定の対称軸（矢印）Ａの方向から見たときの平面図、図７（ｃ）は図７（ｂ）のＢ−Ｂ線における断面図である。図７（ａ），（ｂ），（ｃ）において、符号５ａ，５ｂ，５ｃ，５ｄは４つの固体光源（半導体光源）であり、符号４ａ，４ｂ，４ｃ，４ｄは４つの反射鏡であり、符号２は１つの蛍光体（共通の蛍光体）である。なお、図７（ａ），（ｂ），（ｃ）において、蛍光体支持部材は図示を省略している。
【００５０】
第４の具体例の光源装置は、第２の具体例の光源装置に対して反射鏡４ａ，４ｂ，４ｃ，４ｄと蛍光体２の位置関係を変更したものである。すなわち、図７（ａ），（ｂ），（ｃ）の光源装置では、４つの固体光源（半導体光源）５ａ，５ｂ，５ｃ，５ｄが、所定の対称軸Ａを中心に９０°の間隔でそれぞれ配置されている。そして、各固体光源（半導体光源）５ａ，５ｂ，５ｃ，５ｄからの光の出射方向は、それぞれに対応する反射鏡４ａ，４ｂ，４ｃ，４ｄに向かう方向であり、図７（ａ），（ｂ），（ｃ）の例では所定の対称軸Ａに対して各固体光源５ａ，５ｂ，５ｃ，５ｄの主光軸Ｃがおよそ２２°の角度θ（図２を参照）をなしている。
【００５１】
また、各固体光源（半導体光源）５ａ，５ｂ，５ｃ，５ｄには給電部（図示せず）を通して必要な電流が供給され、各固体光源（半導体光源）５ａ，５ｂ，５ｃ，５ｄは、それぞれに対応する反射鏡４ａ，４ｂ，４ｃ，４ｄに対して精密に位置決めした上で、固定用および放熱用の部材（図示せず）に取り付けられる。
【００５２】
また、各反射鏡４ａ，４ｂ，４ｃ，４ｄは、それぞれに対応する各固体光源（半導体光源）５ａ，５ｂ，５ｃ，５ｄに対向するように配置された区分反射面をそれぞれ有し、それぞれの区分反射面（４つの区分反射面）は、各固体光源（半導体光源）５ａ，５ｂ，５ｃ，５ｄの位置を第一焦点、所定の対称軸Ａ上に配置された蛍光体２上の位置を第二焦点として共有する回転楕円面となっている。
【００５３】
図７（ａ），（ｂ），（ｃ）の光源装置では、蛍光体２には、４つの各固体光源（半導体光源）５ａ，５ｂ，５ｃ，５ｄのそれぞれから出射し４つの各反射鏡４ａ，４ｂ，４ｃ，４ｄの反射面（４枚の反射面）によって反射、集光された光線が入射し、蛍光体２によって波長変換されて発光出力される。このように、蛍光体２には、４枚の反射面によって集光された光線が入射するので（４つの固体光源５ａ，５ｂ，５ｃ，５ｄからの光を集光させることができるので）、従来に比べてより一層の高輝度化が可能となる。
【００５４】
このように、本発明によれば、複数の各固体光源（半導体光源）からの励起光を蛍光体に集光させることで、単独の固体光源（半導体光源）の場合と比較して、発光輝度をより一層向上させることができる。
【００５５】
また、本発明の上述した光源装置を所定のレンズ系などの光学部品と組み合わせることで、高輝度化が可能な照明装置を提供できる。
【産業上の利用可能性】
【００５６】
本発明は、ヘッドランプ等の車両用照明や一般照明などに利用可能である。
【符号の説明】
【００５７】
２、２ａ，２ｂ，２ｃ          蛍光体
４ａ，４ｂ，４ｃ，４ｄ          反射鏡
５ａ，５ｂ，５ｃ，５ｄ          固体光源
６ａ，６ｂ，６ｃ，６ｄ          蛍光体支持部材
【図１】
2012119121.tif 000003
【図２】
2012119121.tif 000004
【図３】
2012119121.tif 000005
【図４】
2012119121.tif 000006
【図５】
2012119121.tif 000007
【図６】
2012119121.tif 000008
【図７】
2012119121.tif 000009